(57)【特許請求の範囲】
【請求項１】
ユーザからの各種入力を受け付け可能とする入力手段と、
演奏情報を演奏可能とする演奏手段と、
ログイン処理と、アクティブユーザ選択処理と、楽曲指定処理と、演奏処理と、を実行可能とする制御手段と、を備え、
前記ログイン処理は、前記入力手段から指定されたユーザをログインさせ、
前記アクティブユーザ選択処理は、ログインしているユーザから何れかのユーザをアクティブユーザとして選択可能とし、
前記楽曲指定処理は、前記アクティブユーザに対して実行されるとともに、楽曲識別情報と、ユーザ識別情報と、音程情報が対応付けて登録された十八番管理情報に基づいて実行される処理であり、
前記入力手段にて前記楽曲識別情報と当該アクティブユーザ以外のユーザの前記ユーザ識別情報と、を受け付け、
前記十八番管理情報中、前記入力手段にて受け付けた前記楽曲識別情報と前記ユーザ識別情報と、に対応する前記音程情報を、当該楽曲識別情報に設定し、
前記演奏処理は、前記楽曲指定処理で受け付けた前記楽曲識別情報に対応する前記演奏情報を、前記楽曲指定処理で設定された前記音程情報にて前記演奏手段に演奏させることを特徴とする
カラオケ装置。
【請求項２】
前記楽曲指定処理は、前記入力手段にて受け付けた前記楽曲識別情報が、前記十八番管理情報に登録されている場合、前記十八番管理情報中、当該楽曲識別情報に対応する前記ユーザ識別情報を選択候補とし、前記入力手段にて前記選択候補から選択させることを特徴とする
請求項１に記載のカラオケ装置。
【請求項３】
前記楽曲指定処理は、前記十八番管理情報中、当該楽曲識別情報に対応し、かつ、ログインしているユーザの前記ユーザ識別情報を選択候補とすることを特徴とする
請求項２に記載のカラオケ装置。
【請求項４】
前記楽曲指定処理は、前記入力手段にて受け付けた前記楽曲識別情報、及び、前記入力手段にて受け付けたユーザの前記ユーザ識別情報が、前記十八番管理情報に登録されていない場合、前記十八番管理情報中、当該ユーザ識別情報に対応する他の前記楽曲識別情報に対応付けられた前記音程情報に基づいて、当該楽曲識別情報に設定する前記音程情報を算出することを特徴とする
請求項１から請求項３の何れか１項に記載のカラオケ装置。
【請求項５】
前記制御手段は、前記十八番管理情報を登録する登録処理を実行可能とすることを特徴とする
請求項１から請求項４の何れか１項に記載のカラオケ装置。
【請求項６】
前記登録処理は、前記演奏処理にて演奏されている前記演奏情報に対応する前記楽曲識別情報と、前記演奏処理にて設定された前記音程情報に、前記入力手段で指定されたユーザ識別情報を対応付けて、前記十八番管理情報として登録することを特徴とする
請求項５に記載のカラオケ装置。
【請求項７】
前記登録処理は、ログインしているユーザを登録候補とし、前記入力手段にて前記登録候補から選択させることで、前記ユーザ識別情報を指定させることを特徴とする
請求項５または請求項６に記載のカラオケ装置。
【請求項８】
前記登録処理は、前記演奏処理の終了時に設定されていた前記音程情報を、前記十八番管理情報として登録することを特徴とする
請求項６または請求項７の何れか１項に記載のカラオケ装置。
【請求項９】
ユーザは、第１群のユーザ、第２群のユーザに区分されており、
前記楽曲指定処理は、アクティブユーザが前記第１群のユーザである場合に実行されることを特徴とする
請求項１から請求項８の何れか１項に記載のカラオケ装置。
【請求項１０】
前記楽曲指定処理は、前記入力手段にて受け付けた前記楽曲識別情報がデュエット楽曲に対応したものである場合に実行されることを特徴とする
請求項１から請求項９の何れか１項に記載のカラオケ装置。
【発明の詳細な説明】
【技術分野】
【０００１】
本発明は、楽曲の演奏に合わせて歌唱を楽しむカラオケ装置に関するものであり、特に、演奏の音程をユーザに合わせて調整可能とするカラオケ装置に関するものである。
【背景技術】
【０００２】
従来、カラオケ装置ではユーザによって指定された楽曲を演奏する他、当該楽曲の演奏に際して、音程を調整することで歌唱しやすい音程に変更する機能が設けられている。また、特許文献１に記載されるように、ユーザが得意とする楽曲（十八番）を予め登録しておくことで、登録した楽曲を容易に呼び出す登録機能もよく知られるところである。この登録機能には、十八番の楽曲のみならず、当該楽曲に対するキー（音程）コントロール等、各種機能の設定値を登録しておくことが可能であり、呼び出した楽曲に対して、各種機能の設定値を再現することが可能となっている。ユーザは事前に十八番とする楽曲に対して音程を設定して登録しておくことで、次回、その楽曲を呼び出したときには、設定しておいた音程で演奏を行うことが可能となる。
【０００３】
一方、カラオケ装置では、二人で歌唱を行うデュエット楽曲の演奏を行うことが知られている。特許文献２には、デュエット楽曲の相手候補を抽出するシステムが開示されている。具体的には、利用者別の設定キーデータに基づき、選曲者の設定キーデータと重複する設定キーデータを有する他の利用者をデュエットする相手として抽出するものである。
【先行技術文献】
【特許文献】
【０００４】
【特許文献１】特開平８−１９０３９６号公報
【特許文献２】特開２０１０−７８９２６号公報
【発明の概要】
【発明が解決しようとする課題】
【０００５】
ところで、カラオケ装置が設置される環境には、ユーザ自らが選曲して歌唱を楽しむカラオケボックスのような形態（デイ市場）の他、酒類の提供と共に従業員が接客を行うスナックやバーなどの形態（ナイト市場）がある。このナイト市場に設置されるカラオケ装置においても、特許文献１に開示される十八番登録機能が利用されている。
【０００６】
このようなナイト市場では、デイ市場と異なり、従業員が客に代わって選曲を行うことが一般的である。例えば、従業員と客がデュエットを楽しむ場合、従業員が楽曲の指定を行うこととなる。このような場合、当該デュエット楽曲に対する音程調整は、客の音域に併せて行われることが好ましい。しかしながら、前述した十八番登録機能では、選曲を行ったユーザ（従業員）に対する音程が設定されることとなり、必ずしも一緒に歌唱する客に対応する音程に設定されるとは限られない。
【０００７】
またナイト市場では、デュエット楽曲に限らず、同じ楽曲を従業員と客が一緒に歌唱する機会もある。このような場合においても、従来の十八番登録機能では、楽曲を指定するユーザと、主として歌唱を行うユーザとが異なる状況を解決するものとはなっていない。
【課題を解決するための手段】
【０００８】
本発明に係るカラオケ装置は、このような特にナイト市場で発生する課題を解決するものであり、そのため以下に示す構成を有することを特徴としている。
【０００９】
ユーザからの各種入力を受け付け可能とする入力手段と、
演奏情報を演奏可能とする演奏手段と、
ログイン処理と、アクティブユーザ選択処理と、楽曲指定処理と、演奏処理と、を実行可能とする制御手段と、を備え、
前記ログイン処理は、前記入力手段から指定されたユーザをログインさせ、
前記アクティブユーザ選択処理は、ログインしているユーザから何れかのユーザをアクティブユーザとして選択可能とし、
前記楽曲指定処理は、前記アクティブユーザに対して実行されるとともに、楽曲識別情報と、ユーザ識別情報と、音程情報が対応付けて登録された十八番管理情報に基づいて実行される処理であり、
前記入力手段にて前記楽曲識別情報と当該アクティブユーザ以外のユーザの前記ユーザ識別情報と、を受け付け、
前記十八番管理情報中、前記入力手段にて受け付けた前記楽曲識別情報と前記ユーザ識別情報と、に対応する前記音程情報を、当該楽曲識別情報に設定し、
前記演奏処理は、前記楽曲指定処理で受け付けた前記楽曲識別情報に対応する前記演奏情報を、前記楽曲指定処理で設定された前記音程情報にて前記演奏手段に演奏させることを特徴とする。
【００１０】
さらに本発明の実施形態に係るカラオケ装置において、
前記楽曲指定処理は、前記入力手段にて受け付けた前記楽曲識別情報が、前記十八番管理情報に登録されている場合、前記十八番管理情報中、当該楽曲識別情報に対応する前記ユーザ識別情報を選択候補とし、前記入力手段にて前記選択候補から選択させることを特徴とする。
【００１１】
さらに本発明の実施形態に係るカラオケ装置において、
前記楽曲指定処理は、前記十八番管理情報中、当該楽曲識別情報に対応し、かつ、ログインしているユーザの前記ユーザ識別情報を選択候補とすることを特徴とする。
【００１２】
さらに本発明の実施形態に係るカラオケ装置において、
前記楽曲指定処理は、前記入力手段にて受け付けた前記楽曲識別情報、及び、前記入力手段にて受け付けたユーザの前記ユーザ識別情報が、前記十八番管理情報に登録されていない場合、前記十八番管理情報中、当該ユーザ識別情報に対応する他の前記楽曲識別情報に対応付けられた前記音程情報に基づいて、当該楽曲識別情報に設定する前記音程情報を算出することを特徴とする。
【００１３】
さらに本発明の実施形態に係るカラオケ装置において、
前記制御手段は、前記十八番管理情報を登録する登録処理を実行可能とすることを特徴とする。
【００１４】
さらに本発明の実施形態に係るカラオケ装置において、
前記登録処理は、前記演奏処理にて演奏されている前記演奏情報に対応する前記楽曲識別情報と、前記演奏処理にて設定された前記音程情報に、前記入力手段で指定されたユーザ識別情報を対応付けて、前記十八番管理情報として登録することを特徴とする。
【００１５】
さらに本発明の実施形態に係るカラオケ装置において、
前記登録処理は、ログインしているユーザを登録候補とし、前記入力手段にて前記登録候補から選択させることで、前記ユーザ識別情報を指定させることを特徴とする。
【００１６】
さらに本発明の実施形態に係るカラオケ装置において、
前記登録処理は、前記演奏処理の終了時に設定されていた前記音程情報を、前記十八番
管理情報として登録することを特徴とする。
【００１７】
さらに本発明の実施形態に係るカラオケ装置において、
ユーザは、第１群のユーザ、第２群のユーザに区分されており、
前記楽曲指定処理は、アクティブユーザが前記第１群のユーザである場合に実行されることを特徴とする。
【００１８】
さらに本発明の実施形態に係るカラオケ装置において、
前記楽曲指定処理は、前記入力手段にて受け付けた前記楽曲識別情報がデュエット楽曲に対応したものである場合に実行されることを特徴とする。
【発明の効果】
【００１９】
本発明のカラオケ装置によれば、ナイト市場のように楽曲を指定するユーザ(従業員）
と主として歌唱を楽しむユーザ（客）が異なる場合であっても、歌唱を楽しむユーザに対応した音程情報を設定することが可能となる。
【００２０】
さらに本発明のカラオケ装置によれば、指定された楽曲識別情報が十八番管理情報に登録されている場合、前記十八番管理情報中、当該楽曲識別情報に対応するユーザを選択候補とすることで、事前に登録されているユーザを容易に選択することが可能となる。
【００２１】
さらに本発明のカラオケ装置によれば、ログインしているユーザを選択候補とすることで、音程情報の設定対象となるユーザの選出を容易にすることが可能となる。
【００２２】
さらに本発明のカラオケ装置によれば、音程情報の設定対象となるユーザ、及び、受け付けた楽曲が、十八番管理情報に登録されていない場合、当該ユーザの他の楽曲識別情報に対応付けられた音程情報に基づいて、設定する音程情報を算出することで、十八番管理情報に登録されていない場合であっても、当該ユーザの音程を推定して設定することが可能となる。
【００２３】
さらに本発明のカラオケ装置は、十八番管理情報を登録する登録処理を実行可能とするものであり、カラオケ装置にて十八番管理情報の管理を行うことが可能である。
【００２４】
さらに本発明のカラオケ装置において、登録処理は、演奏されている楽曲、並びに、演奏中に設定された音程情報を使用することで、登録処理の入力を簡略化することが可能となっている。
【００２５】
さらに本発明のカラオケ装置において、登録処理は、ログインしているユーザを登録候補とすることで、登録処理の入力を簡略化することが可能となっている。
【００２６】
さらに本発明のカラオケ装置において、登録処理は、演奏処理の終了時に設定されていた音程情報を使用することで、最終的に使用された適合度合いの高い音程情報を十八番管理情報として登録することが可能となる。
【００２７】
さらに本発明のカラオケ装置において、ユーザは第１群のユーザと第２群のユーザに区分されており、楽曲指定処理は、アクティブユーザが第１群のユーザである場合に実行されることとしている。このように楽曲指定処理の実行対象となるユーザを第１群（例えば、従業員）に限定することで、ナイト市場等におけるサービスの向上を図ることが可能となる。
【００２８】
さらに本発明のカラオケ装置において、受け付けた前記楽曲識別情報がデュエット楽曲
に対応したものである場合に楽曲指定処理を実行することで、複数の歌唱者で歌唱を行う場合、相手の音程に併せる機能を有効に作用させることが可能となる。
【図面の簡単な説明】
【００２９】
【図１】本発明の実施形態に係るカラオケシステムを示す図
【図２】本発明の実施形態に係るリモコン装置、コマンダにおける処理を示すフロー図
【図３】本発明の実施形態に係るデュエットユーザ情報取得処理
【図４】本発明の実施形態に係る各種処理で使用される情報のデータ構成を示す図
【図５】本発明の実施形態に係るリモコン装置の予約確認画面を示す図
【図６】本発明の実施形態に係るデュエット候補選択画面を示す図
【図７】本発明の実施形態に係る十八番登録準備処理を示すフロー図
【図８】本発明の実施形態に係るデュエット登録確認画面を表示中のコマンダを示す図
【図９】本発明の実施形態に係るデュエット候補一覧画面を表示中のコマンダを示す図
【図１０】本発明の実施形態に係る十八番登録処理を示すフロー図
【発明を実施するための形態】
【００３０】
図１は、本発明の実施形態に係るカラオケシステムの構成を示す図である。本実施形態におけるカラオケシステムは、コマンダ２（カラオケ装置）と、リモコン装置１を含んで構成されている。なお、図１に示す例では、１台のコマンダ２に対して、リモコン装置１ａとリモコン装置１ｂ、２台のリモコン装置１が使用されている例である。これらリモコン装置１ａ、１ｂの構成は同一であるため、リモコン装置１として説明を行う。コマンダ２とリモコン装置１は、ＬＡＮ１００及びアクセスポイント１１０を利用してネットワークを形成するように接続されている。
【００３１】
カラオケボックスなどの店舗に設置されるコマンダ２は、楽曲を演奏するための演奏手段として音響制御部７０を備えている。また、コマンダ２は、ユーザからの各種入力を受け付けるスイッチなどで構成されるコマンダ側入力手段としての操作部２１を備える。コマンダ２は、操作部２１からの入力を解釈して制御部３０に伝達する操作処理部２２を備える。また、コマンダ２は、各種情報を記憶するコマンダ側記憶手段としてのＨＤＤ３２（ハードディスク）を備える。コマンダ２は、ＬＡＮ１００に接続してネットワークに加入するためのコマンダ側通信手段としてのインターフェイス部２４を備えている。
【００３２】
また、コマンダ２は、モニタ４１に対して歌詞映像、背景映像を表示させる映像再生手段を備える。この映像再生手段は、映像情報に基づいて映像を再生する映像再生部２９、再生する映像を一時的に蓄積するビデオＲＡＭ２８、再生された映像に対して歌詞テロップを重畳したり、映像効果を付与する映像制御部３１を備えて構成される。
【００３３】
さらに、このコマンダ２では、外部に接続されたモニタ４１以外に、タッチパネルモニタ３３に対しても各種情報を表示することを可能としている。タッチパネルモニタ３３は映像制御部３１から入力された映像情報を表示する表示部３５と、タッチ入力された位置を操作処理部２２に出力するタッチパネル３４が重畳されて構成されている。また、コマンダ２に対する各種操作は、コマンダ２のフロントパネル等に設けられた操作部２１を介して行うことも可能となっている。
【００３４】
本実施形態のタッチパネルモニタ３３は、リモコン装置１の操作手段と同様の操作手段として機能することも可能としている。ユーザはタッチパネルモニタ３３から楽曲を選択して、直接コマンダ２に予約をさせるなど、リモコン装置１と同等の操作手段機能を利用
することが可能である。
【００３５】
さらに、各構成を統括して制御するためのコマンダ側制御手段として、ＣＰＵにて構成される制御部３０、各種プログラムを実行するにあたって必要となる情報を一時記憶するためのメモリ２７を備えて構成される。
【００３６】
このような構成にてコマンダ２は、各種処理を実行することとなるが、コマンダ２の主な機能として、楽曲予約処理、楽曲再生処理などを実行可能としている。楽曲予約処理は、ユーザからの指定に基づいて楽曲を指定、予約するための処理であってリモコン装置１と連携して実行される。リモコン装置１から送信された予約情報をメモリ２７に記憶する予約テーブルに登録する。楽曲再生処理は、予約された楽曲を再生させる処理であって、演奏処理と歌詞再生処理とが同期して実行される処理である。
【００３７】
演奏処理は、楽曲データに含まれる演奏データを音響制御部７０にて演奏させる処理である。音響制御部７０にて演奏された楽曲は、歌唱用マイク４４ａ、４４ｂから入力される歌唱音声と一緒にスピーカー４２から放音される。歌詞再生処理は、楽曲データに含まれる歌詞データをモニタ４１に表示させることで歌唱補助を行う処理である。この歌詞再生処理で表示される歌詞に、背景映像を重畳させて表示させる背景映像表示処理を実行することとしてもよい。
【００３８】
一方、リモコン装置１は、予約情報などコマンダ２に対して各種指示を送信するとともに、コマンダ２あるいはインターネット上に接続されたカラオケ用ホストから各種情報を受信する。リモコン装置１は、リモコン側表示手段としての表示部１１と、ユーザからの各種入力を受け付けるリモコン側入力手段としての操作部１７とを備える。また、リモコン装置１は、アクセスポイント１１０に無線接続し、ネットワークに加入するためのリモコン側通信手段としての無線ＬＡＮ通信部１６を備える。
【００３９】
さらにリモコン装置１は、楽曲検索に必要とされるデータベース、各種プログラム、並びに、プログラム実行に伴って発生する各種情報を記憶するリモコン側記憶手段としてメモリ１４、そして、これら構成を統括して制御するためのリモコン側制御手段を備えて構成される。リモコン側制御手段には、ＣＰＵにて構成される制御部１５、表示部１１に対して表示する映像を形成する映像制御部１３、表示する映像情報を一時的に蓄えるビデオＲＡＭ１２、操作部１７からの入力を解釈して制御部１５に伝達する操作処理部１８が含まれている。また、リモコン装置１の表示部１１と操作部１７は一体となってタッチパネル表示画面を形成することとしてもよい。
【００４０】
また、リモコン装置１は、無線ＬＡＮ通信部１６によって、アクセスポイント１１０と無線接続されることで、ＬＡＮ１００によって構成されるネットワークに接続される。なお、各リモコン装置１は、特定のコマンダ２に対して事前に対応付けされている。リモコン装置１から出力される各種命令は、対応付けされたコマンダ２にて受信されることとなる。
【００４１】
このようなリモコン装置１の構成により、ユーザからの各種入力を操作部１７にて受付けるとともに、映像情報を表示部１１に表示してユーザに対して各種情報を提供するとともに、コマンダ２に対して楽曲予約などの各種指示を送信することが可能とされている。
【００４２】
では、本発明の実施形態に係るカラオケシステムで実行される一連の処理について図を用いて説明する。図２は、本発明の実施形態に係るリモコン装置、コマンダにおける処理を示すフロー図である。本実施形態においてコマンダ２に対する楽曲指定処理、演奏処理等は、コマンダ２とリモコン装置１が連携して行われるものである。
【００４３】
リモコン装置１の電源が投入され、リモコン装置１が起動すると、リモコン装置１の表示部１１には初期画面が表示され、ユーザによるログイン入力が可能な状態となる。ユーザは、ユーザＩＤとパスワードを入力することで、ログイン処理（Ｓ１０１）を実行する。入力された情報は、ログイン通知としてコマンダ２側に送信され、受信したコマンダ２ではログイン受付処理（Ｓ２０１）を実行する。このログイン受付処理は、ログインしたユーザを認証し、コマンダ２のＨＤＤ３２、あるいは、インターネットに接続されたカラオケ用ホストから、当該ユーザに関する各種情報（ユーザ管理情報）を取得する処理である。
【００４４】
図４（ａ）には、ユーザ管理情報の一部が示されている。本実施形態のユーザ管理情報は、ユーザＩＤ、パスワード、ニックネーム、スタッフ属性、補助情報を含んで構成されている。ユーザＩＤ、パスワードは、ユーザを認証するための情報であり、これら情報の対を照合することで、ユーザ認証が実行され、ログインが行われる。ニックネームは、ログインしたユーザを識別するためのものであり、リモコン装置１あるいはコマンダ２に表示させることで、当該ユーザに関する処理や情報であることを明示するために用いられる。
【００４５】
スタッフ属性は、ナイト店等、店側によって付与される管理情報である。本実施形態のスタッフ属性は、店員など店側のユーザであることを示す「スタッフ」（第１群）と、店の常連客であることを示す「常連」（第２群）を有している。また、一元客などに対しては、このスタッフ属性は付与しないようにしてもよい。このようなスタッフ属性を設けたことで、「スタッフ」、「常連」に対応する各種処理を行うことが可能となっている。なお、各ユーザに対するスタッフ属性の付与は、リモコン装置１あるいはコマンダ２の管理画面から設定することが可能である。図４（ａ）において、「常連」としては、ユーザＩＤ：ＡＡＡ、ニックネームは「たなか」さん、ユーザＩＤ：ＢＢＢ、ニックネームは「さとう」さん、が設定されている。また、「スタッフ」としては、ユーザＩＤ：ＣＣＣ、ニックネームは「やまだ」さんが設定されている。
【００４６】
補助情報は、店側で顧客を管理するための情報である。図に示されるように「おしゃべり」、「芋焼酎がすき」等、顧客に関する特徴を、店舗側で記入しておくことで、ユーザ管理情報を店舗側で管理する際、顧客管理が容易となる。
【００４７】
ログイン受付処理（Ｓ２０１）で取得された顧客管理情報は、リモコン装置１にログイン結果として送信されるとともに、コマンダ２側においても使用可能な状態となる。ログイン直後のユーザは、リモコン装置１においてログインした直後のアクティブユーザとして扱われ、当該アクティブユーザの顧客管理情報に基づいて各種サービスが実行される。また、本実施形態では、リモコン装置１、コマンダ２からなるカラオケシステムに複数のユーザがログインすることが可能となっている。リモコン装置１あるいはコマンダ２において、アクティブユーザ選択処理では、ログインしているユーザ中、選択されたユーザがアクティブユーザに切り替えられる。
【００４８】
図２には、Ｓ１０１でログインしたユーザをアクティブユーザとし、当該アクティブユーザによって、コマンダ２で演奏させる楽曲を指定する一連の処理（楽曲指定処理）が示されている。Ｓ１０２では、リモコン装置１の検索機能を利用してユーザが歌唱を所望する楽曲が選択される。１の楽曲が選択された場合、リモコン装置１の表示部１１には、選択された楽曲の詳細（楽曲名、歌手名など）を確認させるとともに、音程の変更、ガイドメロディのオン／オフ設定を可能とする予約確認画面が表示される。
【００４９】
本実施形態ではこの予約確認画面を表示する際、アクティブユーザが「スタッフ」であ
るか否かが判定され（Ｓ１０３）、「スタッフ」であると判定された場合（Ｓ１０３：Ｙｅｓ）には、デュエット予約を行うことが可能となっている。図５には、本発明の実施形態に係るリモコン装置１で表示された予約確認画面が示されている。この予約確認画面は、歌手名、曲名が表示されている。画面中、「ガイドメロディ」ボタンは、それを操作する毎にガイドメロディのオン、オフがトグル的に設定変更される。また、「音程」ボタンは、それを操作することで、音程設定のための別ウィンドウが表示され、当該ウィンドウ内で音程を設定することが可能である。また、「十八番登録」ボタンは、それを操作することで、表示されている楽曲が当該アクティブユーザの十八番として登録される。
【００５０】
さらにこの予約確認画面には「予約」ボタンが表示されている。この「予約」ボタンを操作することで、表示されている楽曲がコマンダ２に対して予約（通常予約）される。この通常予約では、予約確認画面に表示されている楽曲の楽曲ＩＤ、「ガイドメロディ」ボタンで設定したオン／オフ状態、「音程」ボタンで設定した音程情報が、予約情報としてコマンダ２に送信される。
【００５１】
一方、Ｓ１０３でアクティブユーザが「スタッフ」であるニックネーム「やまださん」の場合、この予約確認画面（図５）には、アクティブユーザが「スタッフ」であることを示す「店舗スタッフ（やまださん）の予約」表示とともに、「デュエット予約」ボタンが表示される。アクティブユーザのスタッフ属性が「スタッフ」以外の、例えば「たなかさん」の場合には、アクティブユーザの表示が「（たなかさん）の予約」（図示せず）にのように表示され、「デュエット予約」ボタンは表示されない。この「デュエット予約」は、歌唱相手（ここでは顧客）を指定するとともに、予め登録されている歌唱相手の音程に合わせて楽曲を演奏させるためのモードである。この「デュエット予約」が操作された場合（Ｓ１０４：Ｙｅｓ）、リモコン装置１は、コマンダ２に対して、デュエットユーザ情報の取得を要求する。
【００５２】
なお、この「デュエット予約」は、指定した楽曲の種別がデュエット楽曲である場合のみに実行可能としてもよい。あるいは、楽曲の種別を限定することなく行うこととしてもよい。デュエット楽曲以外の楽曲についても複数人数で一緒に歌唱を楽しむ場合が想定されるためである。
【００５３】
デュエットユーザに関する情報が要求されたコマンダ２では、デュエットユーザ情報取得処理（Ｓ３００）を実行する。図３には、本発明の実施形態に係るデュエットユーザ情報取得処理が示されている。この処理では、まず、ユーザ管理情報中、ログインしているユーザの中でスタッフ属性が「常連」であるユーザが選択される。Ｓ３０２では、Ｓ３０１で選択されたユーザについて、ユーザ管理情報からニックネームが取得される。そして、Ｓ３０３では、選択されている楽曲について、十八番管理情報からＳ３０１で選択されたユーザの音程情報が取得される。本実施形態では、Ｓ３０３にて音程情報が取得できたユーザについてのみ、そのユーザＩＤ、ニックネーム、音程情報を、デュエットユーザ情報としてリモコン装置１に返信することとしている。
【００５４】
なお、ログインしているユーザ中、当該楽曲について音程情報が取得できなかったユーザについては、十八番管理情報中、当該ユーザに対応する他の楽曲について登録されている音程情報を使用して、当該楽曲の音程情報を算出することとしてもよい。算出方法としては、当該ユーザについて他の楽曲の音程情報の平均に基づいて決定する、あるいは、最高（低）音程を利用して決定すること等が考えられる。
【００５５】
このように本実施形態では、ログインしているユーザ中、スタッフ属性が「常連」であるユーザをデュエットユーザとしているが、「スタッフ」並びにスタッフ属性が設定されていないユーザもデュエットユーザの対象として表示させてもよい。
【００５６】
リモコン装置１では、コマンダ２から取得したデュエットユーザ情報に基づいてデュエット候補選択画面（図６）を表示させ、アクティブユーザに対して歌唱相手となるユーザを選択させる。図６には、一例としてニックネーム、「たなか」さん（図４（ａ）におけるユーザＩＤ「ＡＡＡ」）と、「さとう」さん（ユーザＩＤ「ＢＢＢ」）が表示されており、これらユーザを選択可能とするデュエット候補選択画面が表示されている。
【００５７】
このデュエット候補選択画面で、例えば「たなか」さんが選択された場合、リモコン装置１では、十八番管理情報中、「たなか」さん（ユーザＩＤ「ＡＡＡ」）に該当するとともに、現在選曲中の楽曲（楽曲識別情報「５５５」）に該当する音程情報「＋３」が取得される。取得された「たなか」さんの音程情報、楽曲の予約を行なっているアクティブユーザであるスタッフ「やまだ」さんのユーザＩＤ「ＣＣＣ」が、「やまだ」さんによるデュエット曲の予約情報としてコマンダ２に送信される。
【００５８】
予約情報には、歌唱相手となるユーザ（この場合「たなか」さん）のユーザＩＤを含めることとしてもよい。予約された楽曲を演奏する際などにおいて、タッチパネルモニタ３３などに、例えば、歌唱中に「今、たなかさんと歌っています」等、歌唱相手に関する表示を行うことが可能となる。
【００５９】
コマンダ２は、メモリ２７に記憶される予約リストに受信した予約情報を記述し（Ｓ２０２）、この予約リストにしたがって演奏処理を開始する（Ｓ２０３）。予約された楽曲は、予約情報に含まれる音程情報で音程（キー）を変更して演奏される（Ｓ２０４）。したがって、予約された楽曲は、選択された相手方について予め十八番管理情報に登録されている音程情報にて演奏されることとなり、相手方の音程にあわせて歌唱を楽しむことが可能となる。このような形態は、特にナイト店において従業員が接客を行う際、デュエット等、顧客と一緒に歌唱を楽しむ際、カラオケシステムにおける管理の容易化が図られる。すなわち、事前に相手方の音程を登録しておくことで、歌唱する際の音程を従業員が覚えておいたり、歌唱の度に顧客に音程を問い合わせる必要が無い。
【００６０】
では、歌唱する相手方の音程を登録する処理について図を参照しつつ説明する。本実施形態では、楽曲演奏中に歌唱相手となるユーザを指定することで相手方の音程を登録することが可能となっている。図７には、本発明の実施形態に係る十八番登録準備処理を示すフロー図が示されている。
【００６１】
この十八番登録準備処理は、演奏開始（Ｓ４０１）から演奏終了（Ｓ４０８）の期間において、適宜タイミングで実行可能な処理となっている。本実施形態では、ナイト店等における従業員の操作性を考慮し、コマンダ２のフロントパネルに設けられたタッチパネルモニタ３３によって十八番登録操作を行うこととしている。このような形態のみならず、リモコン装置１側において十八番登録操作を可能としてもよい。
【００６２】
演奏が開始されると、コマンダ２は通常演奏モードに変更される（Ｓ４０２）。この通常演奏変更モードでは、コマンダ２のタッチパネルモニタ３３には、モニタ４１への表示と同様、演奏の進行に同期して歌詞を表示させている。このようなタッチパネルモニタ３３における通常演奏モード時において、タッチパネルモニタ３３もしくは操作部２１に対して所定の操作が行われた場合（Ｓ４０３：Ｙｅｓ）、タッチパネルモニタ３３の機能はデュエット登録モードに変更され、タッチパネルモニタ３３にはデュエット登録確認画面が表示される（Ｓ４０４）。
【００６３】
図８は、本発明の実施形態に係るデュエット登録確認画面を表示中のコマンダ２を示す図である。図に示されるようにタッチパネルモニタ３３には、デュエット登録するか否か
を示すボタンが表示され、当該ボタンが操作された場合（Ｓ４０５：Ｙｅｓ）。タッチパネルモニタ３３には、歌唱している相手ユーザを指定するためのデュエット候補ユーザ一が表示される（Ｓ４０６）。図９は、本発明の実施形態に係るデュエット候補一覧画面を表示中のコマンダを示す図である。本実施形態では、ログインしているユーザ中、歌唱しているユーザ、すなわち、本楽曲の予約を行ったユーザ以外のユーザについて、そのニックネームに対応したボタンを表示させている。その際、スタッフ属性が「スタッフ」を除いて表示させることとしてもよいし、さらには、「常連」についてのみ表示させることとしてもよい。
【００６４】
図９には、ログインしているユーザ中「常連」に該当するユーザのニックネームが付されたボタンが表示されている。何れかのボタンを操作することで、現在、歌唱している相手方が指定されることとなる。ボタンが操作され相手方が指定されると、選択されたボタンに対応するユーザのユーザＩＤが十八番登録準備情報に登録される（Ｓ４０７）。図４（ｂ）には十八番登録準備情報のデータ構成が示されている。十八番登録準備情報は、現在演奏されている楽曲の楽曲識別情報、そして、Ｓ４０７で選択された相手方ユーザのユーザＩＤ（デュエットユーザＩＤ）にて構成されている。十八番登録準備情報は、メモリ２７等に一時的に記憶される。
【００６５】
演奏が終了した場合（Ｓ４０８）、十八番登録処理（Ｓ５００）が実行される。図１０には、本発明の実施形態に係る十八番登録処理を示すフロー図が示されている。演奏中、十八番登録準備処理にて、十八番登録準備情報が登録されていた場合（Ｓ５０１：Ｙｅｓ）には、コマンダ２は演奏終了時の音程情報を取得し（Ｓ５０２）、十八番登録準備情報と取得した音程情報を、ＨＤＤ３２等に記憶している十八番管理情報に登録する（Ｓ５０３）。登録する際、デュエットユーザＩＤは、十八番管理情報のユーザＩＤとして取り扱われる。
【００６６】
このように登録された十八番管理情報は、図２で説明したデュエット予約で使用可能となる。十八番管理情報は、デュエット予約のみで使用可能としてもよいし、一般的な十八番登録機能と同様、ユーザ自身による選曲においても使用可能としてもよい。なお、ナイト店等の形態では、このように記憶された十八番管理情報は、各店舗における秘密情報として取り扱うことが好ましい。そのため、十八番管理情報はカラオケ用ホストなどで統括管理するのではなく、コマンダ２のみでの管理形態とし、外部への漏洩を防ぐことが好ましい。
【００６７】
なお、本発明はこれらの実施形態のみに限られるものではなく、それぞれの実施形態の構成を適宜組み合わせて構成した実施形態も本発明の範疇となるものである。
【符号の説明】
【００６８】
１ａ、１ｂ…リモコン装置、１１…表示部、１２…ビデオＲＡＭ、１３…映像制御部、１４…メモリ、１５…制御部、１６…無線ＬＡＮ通信部、１７…操作部、１８…操作処理部、１９…赤外線通信部、２…コマンダ、２１…操作部、２２…操作処理部、２３…赤外線通信部、２４…インターフェイス部、２５…音声制御部、２６…ＭＩＤＩ音源、２７…メモリ、２８…ビデオＲＡＭ、２９…映像再生部、３０…制御部、３１…映像制御部、３２…ＨＤＤ（ハードディスク）、４１…モニタ装置、４２…スピーカー、４４ａ…歌唱用マイク、１００…ＬＡＮ、１１０…アクセスポイント、１２０…ルータ
【図１】
0005532272.tif 000002
【図２】
0005532272.tif 000003
【図３】
0005532272.tif 000004
【図４】
0005532272.tif 000005
【図５】
0005532272.tif 000006
【図６】
0005532272.tif 000007
【図７】
0005532272.tif 000008
【図８】
0005532272.tif 000009
【図９】
0005532272.tif 000010
【図１０】
0005532272.tif 000011